(57)【要約】【課題】簡単な構造および制御で撮像方向の調整が容易となる携帯通信機器およびその照明光制御方法を提供する。【解決手段】携帯電話機のような携帯通信機器において、携帯通信機器の筐体（１２）に配置されたカメラ部（１４）と、その光軸（１４ａ）と平行な方向に照明光を出射するライト部（１５）とを有し、ライト部（１５）の上に照明光／ガイド光切替部（１６）を設け、ライト部（１５）からの照明光（１５ｂ）を被写体（１８）の撮像対象面（１８ａ）上で光学的目印を形成するガイド光（１５ａ）に切り替える。【選択図】図１
2011229039.tif 000002
【特許請求の範囲】
【請求項１】
撮像機能および照明機能を備えた携帯通信機器であって、
機器筐体に配置された撮像手段と、
前記撮像手段の光軸と平行な方向に照明光を出射するように前記機器筐体に配置された照明手段と、
前記照明手段から出射される照明光を被写体上で光学的目印を形成するガイド光に切り替える照明光／ガイド光切替手段と、
を有することを特徴とする携帯通信機器。
【請求項２】
前記照明光／ガイド光切替手段は、照明光用透光部と、前記照明光用透光部よりも狭い透光部面積を有するガイド光用透光部とが相互に切り替え可能であることを特徴とする請求項１に記載の携帯通信機器。
【請求項３】
前記ガイド光用透光部に、前記照明手段から出射される照明光を平行光に変換するレンズを設置したことを特徴とする請求項２に記載の携帯通信機器。
【請求項４】
前記被写体がバーコードであることを特徴とする請求項１−３のいずれか１項に記載の携帯通信機器。
【請求項５】
機器筐体に配置された撮像手段と、前記撮像手段の光軸と平行な方向に照明光を出射するように前記機器筐体に配置された照明手段と、を備えた携帯通信機器における照明光制御方法であって、
通常撮像時には、照明光／ガイド光切替手段が前記照明手段から出射される照明光を被写体へ照射し、
撮像位置を合わせる時には、前記照明光／ガイド光切替手段が前記照明手段から出射される照明光を被写体上で光学的目印を形成するガイド光に切り替える、
ことを特徴とする照明光制御方法。
【請求項６】
前記照明光と前記ガイド光との切替は、照明光用透光部と、前記照明光用透光部よりも狭い透光部面積を有するガイド光用透光部とを切り替えることにより実行することを特徴とする請求項５に記載の照明光制御方法。
【請求項７】
前記ガイド光用透光部に設けたレンズにより前記照明手段から出射される照明光を平行光に変換することを特徴とする請求項６に記載の照明光制御方法。
【請求項８】
前記被写体がバーコードであることを特徴とする請求項５−７のいずれか１項に記載の照明光制御方法。
【請求項９】
機器筐体に配置された撮像手段と、前記撮像手段の光軸と平行な方向に照明光を出射するように前記機器筐体に配置された照明手段と、を備えた携帯通信機器におけるプログラム制御プロセッサを照明光制御装置として機能させるプログラムであって、
通常撮像時には、照明光／ガイド光切替手段が前記照明手段から出射される照明光を被写体へ照射し、
撮像位置を合わせる時には、前記照明光／ガイド光切替手段が前記照明手段から出射される照明光を被写体上で光学的目印を形成するガイド光に切り替える、
ように前記プログラム制御プロセッサを機能させることを特徴とするプログラム。
【請求項１０】
前記照明光と前記ガイド光との切替は、照明光用透光部と、前記照明光用透光部よりも狭い透光部面積を有するガイド光用透光部とを切り替えることにより実行することを特徴とする請求項９に記載のプログラム。
【発明の詳細な説明】
【技術分野】
【０００１】
本発明は撮像機能および照明機能を有する携帯通信機器に係り、特に撮像時の照明光の制御方法に関する。
【背景技術】
【０００２】
近年、ほとんどの携帯電話機にはカメラ機能が装備されており、人物や風景などを撮影する通常のカメラ機能の他、カメラ機能を利用した二次元バーコードの読み取り機能も装備されている。カメラ機能を用いて撮影する場合、携帯電話機の表示画面をファインダとして機能させ、被写体を適切な撮影範囲内に収めてからシャッタを切るという操作が一般的である。
【０００３】
しかしながら、二次元バーコードのような小さな被写体を近くから撮影する時には、携帯電話機本体によって被写体がユーザの視界から隠されてしまうため被写体とカメラとの位置関係が把握しにくくなりカメラの向きを合わせるのが容易でない。特に、折り畳み式の携帯電話機では、携帯電話機の表示画面の向きとカメラの光軸とが平行ではないために、被写体にカメラを正確に向けること自体が簡単にできない。
【０００４】
そこで、撮像方向の確認を容易にできる携帯電話機が種々提案されている。たとえば特許文献１に開示された携帯電話機は、カメラの撮像方向と同じ方向に光学マーカを形成するための光ビーム出力部を設け、ユーザがこの光学マーカを頼りにカメラを被写体へ正確に向けることを可能している（特許文献１の明細書段落００４３参照）。
【先行技術文献】
【特許文献】
【０００５】
【特許文献１】特開２００６−３２３７６２号公報
【発明の概要】
【発明が解決しようとする課題】
【０００６】
しかしながら、特許文献１に開示された携帯電話機では、光学マーカを形成するための光ビーム出力部を別個に装備する必要である。特に最近の携帯電話機には、撮像時に被写体を照明するライト用光源が内蔵されているものが多い。このために光学マーカ用の光源を別個に設けると、２つの光源が搭載されることとなり小型軽量化が困難になる。また、携帯電話本体の筐体に２つの発光用の開口部を形成しなければならず、構造が複雑化する。さらに、２つの光源をそれぞれ制御する必要があるので制御が複雑化するという難点もある。
【０００７】
そこで、本発明の目的は、上記課題を解決することができ、簡単な構造および制御で撮像方向の調整が容易となる携帯通信機器およびその照明光制御方法を提供することにある。
【課題を解決するための手段】
【０００８】
本発明による携帯通信機器は、撮像機能および照明機能を備えた携帯通信機器であって、機器筐体に配置された撮像手段と、前記撮像手段の光軸と平行な方向に照明光を出射するように前記機器筐体に配置された照明手段と、前記照明手段から出射される照明光を被写体上で光学的目印を形成するガイド光に切り替える照明光／ガイド光切替手段と、を有する。
【０００９】
本発明による携帯通信機器の照明制御方法は、機器筐体に配置された撮像手段と、前記撮像手段の光軸と平行な方向に照明光を出射するように前記機器筐体に配置された照明手段と、を備えた携帯通信機器における照明光制御方法であって、通常撮像時には、照明光／ガイド光切替手段が前記照明手段から出射される照明光を被写体へ照射し、撮像位置を合わせる時には、前記照明光／ガイド光切替手段が前記照明手段から出射される照明光を被写体上で光学的目印を形成するガイド光に切り替える、ことを特徴とする。
【００１０】
本発明によるプログラムは、機器筐体に配置された撮像手段と、前記撮像手段の光軸と平行な方向に照明光を出射するように前記機器筐体に配置された照明手段と、を備えた携帯通信機器におけるプログラム制御プロセッサを照明光制御装置として機能させるプログラムであって、通常撮像時には、照明光／ガイド光切替手段が前記照明手段から出射される照明光を被写体へ照射し、撮像位置を合わせる時には、前記照明光／ガイド光切替手段が前記照明手段から出射される照明光を被写体上で光学的目印を形成するガイド光に切り替える、ように前記プログラム制御プロセッサを機能させることを特徴とする。
【発明の効果】
【００１１】
本発明によれば、１つの光源を用いた簡単な構造および照明制御で撮像方向の調整が容易となる。
【図面の簡単な説明】
【００１２】
【図１】本発明の一実施形態による携帯通信機器の構成を説明するための模式的側面図である。
【図２】本発明の第１実施例による携帯通信機器における照明光／ガイド光切替部の概略的構成図である。
【図３】本発明の第１実施例による携帯通信機器における照明光／ガイド光切替部の動作を説明するための模式図であり、（Ａ）は照明モード時の遮光板位置を示す図、（Ｂ）はガイドモード時の遮光板位置を示す図である。
【図４】本発明の第２実施例による携帯通信機器における照明光／ガイド光切替部の動作を説明するための模式図であり、（Ａ）は照明モード時の遮光板位置を示す図、（Ｂ）はガイドモード時の遮光板位置を示す図である。
【図５】（Ａ）は本発明の第３実施例による携帯通信機器における照明光／ガイド光切替部の概略的構成図であり、（Ａ）は照明モード時の遮光領域を示す図、（Ｂ）はガイドモード時の遮光領域を示す図である。
【図６】本発明の第３実施例による携帯通信機器における照明光／ガイド光切替部の遮光板を示す構成図である。
【図７】本発明の第４実施例による携帯通信機器における照明光／ガイド光切替部の概略的構成図である。
【図８】本実施形態による携帯通信機器の内部回路の一例を示すブロック図である。
【図９】本実施形態による携帯通信機器のバーコード読み取り時の動作を示すフローチャートである。
【発明を実施するための形態】
【００１３】
以下、携帯通信機器として折り畳み式の携帯電話機を一例とし、本発明の一実施形態による携帯通信機器の構成および動作について説明する。なお、本発明は、以下に述べる実施形態により限定されるものではない。
【００１４】
１．機器構成
図１に示すように、本実施形態による携帯電話機は、第１筐体１１と第２筐体１２とがヒンジ１３により矢印１３ａのように折り畳み可能に連結されている。第１筐体１１には画像を表示する表示部１１ａが、第２筐体１２にはユーザ操作のための操作部１２ａがそれぞれ設けられている。
【００１５】
さらに、第２筐体１２の操作部１２ａとは反対側の裏面には、撮像手段としてのカメラ部１４と照明手段としてのライト部１５とが接近して設けられ、カメラ部１４の光軸１４ａとライト部１５の光軸１５ａとが平行になるように配置されている。多くの折り畳み式携帯電話機では第１筐体１１と第２筐体１２とを１８０°開いて使用することは少なく、１８０°より小さい角度に開いて使用するのが一般的である。このために、図１に示すように、ユーザ１７が表示部１１ａを見る視線１７ａとカメラの光軸１４ａとは平行にはならない。この視線１７ａと光軸１４ａとのズレが表示部１１ａを見ながらカメラの撮像方向を被写体１８に合わせることを困難にする一因である。
【００１６】
ライト部１５はカメラ機能用に標準に装備されているライトを利用し、カメラ部１４の撮像機能起動時に自動的に発光するように設定することができる。したがって、新たにライト用の回路を携帯電話機に組み込む必要はない。
【００１７】
照明光／ガイド光切替部１６はライト部１５の出射光を遮る位置に配置されている。照明光／ガイド光切替部１６は、後述するように、ライト部１５からの光が通過する面積あるいは面積と形状を変化させることで、ガイド光１５ａあるいは照明光１５ｂのいずれかを選択することができる。照明光／ガイド光切替部１６の切替動作は、機械的あるいは電気的に実行することができ、機械的な切替であれば手動あるいは電動で行うことができる。
【００１８】
照明光／ガイド光切替部１６は、ライト部１５からの光の透過面積を最大にすることで通常の照明光１５ｂを生成し被写体１８の撮像対象面１８ａへ照射することができる。また、ライト部１５からの光の透過面積を所定面積に縮小することでガイド光１５ａを生成し、ユーザが撮像位置の決定を容易にするための光学的目印、すなわち所望形状のガイド用光点を撮像対象面１８ａに形成することができる。
【００１９】
すなわち、本実施形態による携帯電話機では、カメラの光軸１４ａと平行な光軸１５ａを有するライト部１５をカメラ部１４と同じ第２筐体１２の裏面に設けている。ライト部１５からのガイド光１５ａがカメラの光軸１４ａと平行に出射し、カメラの光軸１４ａが向いた方向の撮像対象上に視認可能な光学的目印となる光点を形成する。したがって、ユーザ１７は光点を被写体１８に合わせるように携帯電話機の向きを調整することで、表示部１１ａを直接視認しなくても被写体１８に携帯電話機のカメラを向けることができるようになる。
【００２０】
なお、本実施形態では、ライト部１５はカメラ部１４の下に配置されているが、互いの光軸が平行であれば、ライト部１５がカメラ部１４に対して上下左右のどのポジションに位置してもよい。ただし、ライト部１５の配置位置はカメラ部１４の近傍であることが望ましい。また、ライト部１５およびカメラ部１４を携帯電話機の第１筐体１１に設けることも可能である。
【００２１】
２．照明光／ガイド光切替部
２．１）第１例
図２に示すように、照明光／ガイド光切替部１６は、ライト部１５からの照明光が通過する照明光用透光部２１と、回転軸２２に固定され矢印ａ方向に回動可能に設けられた遮光板２３と、遮光板２３の中心部に設けられた円形のガイド光用透光部２４とを有する。照明光用透光部２１は、携帯通信端末本体の筐体に形成された円形の開口あるいは透明部であってもよいし、照明光／ガイド光切替部１６を構成する遮光基板に形成された開口あるいは透明部であってもよい。ガイド光用透光部２４は遮光板２３に形成された円形あるいはしょもう形状の開口あるいは透明部であってもよい。なお、ガイド光用透光部２４の透明部には色付きの透明材料を用いてもよい。ガイド光用透光部２４が形成された遮光板２３は、回転軸２２を中心として手動あるいは電動により回転し照明光用透光部２１を塞ぐことができる。
【００２２】
遮光板２３はモータなどの駆動機構（図示せず。）により回転軸２２を回転させることで矢印ａ方向に回動させることもできるが、回転軸２２につまみをつけてユーザが手動で制御することも可能である。
【００２３】
図３（Ａ）に示すように、バーコード読み取り機能を使用しない通常の撮像時には、ライト光用透光部２１が開いた状態であるから、ライト部１５からの光はライト光用透光部２１を通して被写体１８へ照射される（照明モード）。照明モードでは、遮光版２３はライト部１５からの光を遮らないので、通常のカメラ撮影時のライト動作には影響しない。
【００２４】
図３（Ｂ）に示すように、バーコード読み取り機能を使用する時には遮光板２３を回転軸２２を中心としてライト光用透光部２１に重なる位置に移動させる（ガイドモード）。遮光板２３にはガイド光用透光部２４が設けられているので、ライト部１５からの光はガイド光用透光部２４を通して被写体１８に視認可能な白色あるいは色彩を有するガイド用の光点を形成する。ユーザは、このガイド用光点を頼りにカメラ部１４の光軸を正しく被写体１８へ向けて調整することができる。
【００２５】
２．２）第２例
遮光板２３の移動方式としては、図３のような回動方式の他にスライド方式を採用することもできる。
【００２６】
図４に示すように、照明光／ガイド光切替部１６には、遮光板２３ａを矢印ｂ方向にスライド可能に保持する案内部２５ａおよび２６ａが設けられ、遮光板２３ａにガイド光用透光部２４ａが設けられている。ライト部１５からの照明光が通過する照明光用透光部２１は、携帯通信端末本体の筐体に形成された円形の開口あるいは透明部であってもよいし、照明光／ガイド光切替部１６を構成する遮光基板に形成された開口あるいは透明部であってもよい。ガイド光用透光部２４ａは遮光板２３ａに形成された円形あるいは所望形状のの開口あるいは透明部であってもよい。なお、ガイド光用透光部２４ａの透明部には色付きの透明材料を用いてもよい。
【００２７】
ガイド光用透光部２４ａが形成された遮光板２３ａは、案内部２５ａおよび２６ａに沿って手動あるいは電動によりスライド移動し照明光用透光部２１を塞ぐことができる。遮光板２３ａはモータなどの駆動機構（図示せず。）によりスライド移動させることもできるが、遮光板２３ａにつまみをつけてユーザが手動で制御することも可能である。
【００２８】
図４（Ａ）に示すように、バーコード読み取り機能を使用しない通常の撮像時には、ライト光用透光部２１が開いた状態であるから、ライト部１５からの光はライト光用透光部２１を通して被写体１８へ照射される（照明モード）。照明モードでは、遮光版２３ａはライト部１５からの光を遮らないので、通常のカメラ撮影時のライト動作には影響しない。
【００２９】
図４（Ｂ）に示すように、バーコード読み取り機能を使用する時には遮光板２３ａをライト光用透光部２１に重なる位置にスライド移動させる（ガイドモード）。遮光板２３ａにはガイド光用透光部２４ａが設けられているので、ライト部１５からの光はガイド光用透光部２４ａを通して被写体１８に視認可能な白色あるいは色彩を有するガイド用の光点を形成する。ユーザは、このガイド用光点を頼りにカメラ部１４の光軸を正しく被写体１８へ向けて調整することができる。
【００３０】
２．３）第３例
ガイド光用透光部２４，２４ａは、遮光板２３、２３ａに形成された円形の開口あるいは透明部であってもよいが、図５に示すように、ライト部１５からの光をほぼ平行光にする凸レンズ３１を設置することもできる。レンズ３１によりライト部１５からの光が平行光になるので、被写体１８の撮像対象面１８ａに形成される光学的目印がより鮮明となり識別しやすくなる。
【００３１】
２．４）第４例
遮光板２３に形成されたガイド光用透光部（２４、２４ａ）の形状は、図３、図４に示すような円形に限定されるものではない。光学的目印として任意の形状を考えることができる。たとえば、図６に示すように、４つの鍵状のガイド光用透光部４１ａから４１ｄを遮光板２３に形成することで、これらに対応する４つの鍵状の照射領域を被写体１８上に形成することができ、ユーザはこれらのガイド用目印を頼りにカメラ部１４の光軸を正しく被写体１８へ向けて調整することができる。
【００３２】
２．５）第５例
上述した第１例〜第３例では、照明光用透光部２１の透光領域を小さくして光点あるいは光学的目印を形成する方法として遮光板２３、２３ａの機械的な移動を利用したが、次に述べるように電気的にライト光の透光領域を変化させることもできる。
【００３３】
図７（Ａ）に示すように、ライト部１５と照明用透光部２１との間に遮光制御パネル５０を設け、ドライバ５１により遮光領域の大きさを変化させる。遮光制御パネル５０は、たとえば液晶パネルを用いて構成することができる。
【００３４】
図７（Ｂ）に示すように、バーコード読み取り機能を使用しない通常の撮像時には、遮光制御パネル５０を全領域透明にすることで、ライト光用透光部２１が開いた状態となり、ライト部１５からの光はライト光用透光部２１を通して被写体１８へ照射される（照明モード）。
【００３５】
図７（Ｃ）に示すように、バーコード読み取り機能を使用する時には、遮光制御パネル５０をガイド光用透明領域５２を除く他の領域を遮光状態にする（ガイドモード）。ガイド光用透明領域５２を上述したガイド光用透光部２４と同様に小さい領域にすることで、ガイド光用透明領域５２を通してライト部１５からの光が通過し被写体１８に視認可能なガイド用の光点（光学的目印）を形成する。ユーザは、このガイド用光点を頼りにカメラ部１４の光軸を正しく被写体１８へ向けて調整することができる。
【００３６】
遮光制御パネル５０はドライバ４１により、図６に示す鍵状も含めた任意の形状のガイド光用透明領域を構成することができ、その他を遮光領域にすることができる。したがって、被写体１８へ照射される光学的目印を所望の形状にすることができる。
【００３７】
３．照明光／ガイド光切替制御
３．１）回路構成
図８に示すように、本実施例による携帯通信機器には、上述した表示部１１ａ、操作部１２ａ、カメラ部１４、ライト部１５、照明光／ガイド光切替部１６の他に、それらを制御する制御部１０１と、撮像データや制御に必要な情報およびプログラムを記憶するための記憶部１０２と、バーコードを認識して文字コードに変換するバーコード認識部１０３と、が更に設けられている。
【００３８】
なお、本実施例では、照明光／ガイド光切替部１６として、図２に示す遮光板２３を回動させる方式を一例として説明する。また、本実施例による携帯通信機器には、上述した以外の機能部が存在するが、ここでは直接関係しないので説明を省略する。
【００３９】
制御部１０１は、後述するように、カメラ部１４の起動や撮像制御、ライト部１５の起動や発光制御、照明光／ガイド光切替部１６の制御などを実行する。特に、本実施例によれば、制御部１０１は、バーコード読み取り機能起動時に、カメラ部１４を起動して撮像可能状態とし、遮光板２３を照明光用透光部２１に重なる位置へ移動させ、ライト部１５を発光するように制御するものとする。これによって、ガイド光用透光部２４を通してライト部１５からの光の一部が通過し被写体１８に視認可能なガイド光点あるいは光学的目印が形成される。
【００４０】
また、上述したように、遮光板２３を移動させるときに、自動制御で行う方法とユーザが手動で行う方法とがある。自動制御で行う場合は、制御部１０１がバーコード読み取り機能起動時に遮光板２３を照明光用透光部２１に重なる位置へ回動するようにモータを駆動し、バーコード読み取り機能を使用しない時には遮光板２３を照明光用透光部２１に重ならない位置に戻す制御を行う。
【００４１】
なお、制御部１０１の機能は、ＣＰＵ等のプログラム制御プロセッサ上で記憶部１０２に格納されたプログラムを実行することにより実現することも可能である。
【００４２】
また、バーコード認識部１０３は、カメラ部１４が撮像した画像を受取り、その画像データに含まれるバーコードを認識して、それを文字コードのデータ（例えば、電話番号、インターネットに接続するアドレス情報、等）に変換する。
【００４３】
３．２）動作
図９を参照しながら、本実施例による携帯通信機器のバーコード読み取り時の動作を説明する。まず、ユーザは携帯通信機器の操作部１２ａを通してバーコード読取機能を起動するための操作を行う（ステップ２０１）。
【００４４】
制御部１０１は、操作部１２ａからのバーコード読取機能起動指示を受けると、カメラ部１４に対して起動指示を出し（ステップ２０２）、これによってカメラ部１４のカメラ機能が起動する（ステップ２０３）。これと並行して、制御部１０１は、照明光／ガイド光切替部１６に対して切替指示を出し（ステップ２０４）、照明光／ガイド光切替部１６は、制御部１０１から切替指示を受けると、遮光板２３を照明光用透光部２１に重なるように移動させる（ステップ２０５）。また、制御部１０１は、ライト部１５に対して起動指示を出す（ステップ２０６）。
【００４５】
ライト部１５は、制御部１０１から起動指示により発光する（ステップ２０７）。このとき、照明光用透光部２１は遮光板２３により遮られているので、遮光板２３のガイド光用透光部２４を通して光の一部が通過し、被写体１８に視認可能な光点が形成される。
【００４６】
光点が形成されると、ユーザは携帯通信機器の向きを調整して光点を被写体１８に合わせる。ユーザは光点を被写体１８の適切な位置に合わせた後、操作部１２ａを通して撮影操作（すなわちシャッタボタンの押下）を行う（ステップ２０８）。
【００４７】
シャッタボタンの押下を検出すると、制御部１０１はカメラ部１４に対してシャッタ作動の指示を出し（ステップ２０９）、これによってカメラ部１４はカメラのシャッタを作動させて撮像を行い、撮像データを制御部１０１へ転送する（ステップ２１０）。制御部１０１は、カメラ部１４から撮影データを取り込むと、撮像データを記憶部１０２に保存するとともにバーコード認識部１０３に渡す（ステップ２１１）。
【００４８】
バーコード読取機能を終了する場合、ユーザは携帯通信機器の操作部１２ａを通してバーコード読取機能を停止するための操作を行う（ステップ２１２）。
【００４９】
制御部１０１は、操作部１２ａからのバーコード読取機能停止指示を受けると、カメラ部１４に対して停止指示を出し（ステップ２１３）、これによってカメラ部１４のカメラ機能が停止する（ステップ２１４）。これと並行して、制御部１０１はライト部１５に対して停止指示を出し（ステップ２１５）、ライト部１５は制御部１０１から停止指示を受けると発光状態を停止する（ステップ２１６）。また、制御部１０１は照明光／ガイド光切替部１６に対して切替指示を出し（ステップ２１７）、照明光／ガイド光切替部１６は、制御部１０１から切替指示を受けると、遮光版２３を照明光用透光部２１に重ならない位置に移動させる（ステップ２１８）。これにより、照明光用透光部２１が開いた状態となり、通常のカメラ撮影時の照明用ライトとして使用できる。
【００５０】
このように、制御部１０１は、バーコード読み取り機能を使用する時には、遮光板２３を照明光用透光部２１に重なる位置に移動させるとともにライト部１５を発光させる。これによって遮光板２３に設けられたガイド光用透光部２４を通して光の一部を通過するようにして、被写体１８に視認可能な光点を形成させる。またバーコード読み取り機能を使用しない時には遮光版２３を照明光用透光部２１に重ならない位置に戻し、照明光用透光部２１を開いた状態にする。
【００５１】
３．３）効果
上述したように、本実施例によれば、ユーザ１７がバーコード読み取り機能を使用する時に、カメラ部１４の光軸方向の撮像対象上に形成された視認可能な光点をバーコード上の適切な位置に合わせるだけで、バーコードを適切な撮影範囲内に収めることが容易になる。
【００５２】
また、ライト部１５は、カメラ機能用に標準に装備されているライトを用いているので、新たにライト用の回路を携帯電話機に組み込む必要はない。したがって、ライト用の回路設計が不要となり、またライト用の回路により消費電力が増えることもない。
【００５３】
４．付記
上述した実施形態の一部あるいは全部は、以下の付記のようにも記載されうるが、これらに限定されるものではない。
【００５４】
（付記１）
撮像機能および照明機能を備えた携帯通信機器であって、
機器筐体に配置された撮像手段と、
前記撮像手段の光軸と平行な方向に照明光を出射するように前記機器筐体に配置された照明手段と、
前記照明手段から出射される照明光を被写体上で光学的目印を形成するガイド光に切り替える照明光／ガイド光切替手段と、
を有することを特徴とする携帯通信機器。
【００５５】
（付記２）
前記照明光／ガイド光切替手段は、照明光用透光部と、前記照明光用透光部よりも狭い透光部面積を有するガイド光用透光部とが相互に切り替え可能であることを特徴とする付記１に記載の携帯通信機器。
【００５６】
（付記３）
前記ガイド光用透光部に、前記照明手段から出射される照明光を平行光に変換するレンズを設置したことを特徴とする付記２に記載の携帯通信機器。
【００５７】
（付記４）
前記被写体がバーコードであることを特徴とする付記１−３のいずれか１項に記載の携帯通信機器。
【００５８】
（付記５）
機器筐体に配置された撮像手段と、前記撮像手段の光軸と平行な方向に照明光を出射するように前記機器筐体に配置された照明手段と、を備えた携帯通信機器における照明光制御方法であって、
通常撮像時には、照明光／ガイド光切替手段が前記照明手段から出射される照明光を被写体へ照射し、
撮像位置を合わせる時には、前記照明光／ガイド光切替手段が前記照明手段から出射される照明光を被写体上で光学的目印を形成するガイド光に切り替える、
ことを特徴とする照明光制御方法。
【００５９】
（付記６）
前記照明光と前記ガイド光との切替は、照明光用透光部と、前記照明光用透光部よりも狭い透光部面積を有するガイド光用透光部とを切り替えることにより実行することを特徴とする付記５に記載の照明光制御方法。
【００６０】
（付記７）
前記ガイド光用透光部に設けたレンズにより前記照明手段から出射される照明光を平行光に変換することを特徴とする付記６に記載の照明光制御方法。
【００６１】
（付記８）
前記被写体がバーコードであることを特徴とする付記５−７のいずれか１項に記載の照明光制御方法。
【００６２】
（付記９）
機器筐体に配置された撮像手段と、前記撮像手段の光軸と平行な方向に照明光を出射するように前記機器筐体に配置された照明手段と、を備えた携帯通信機器におけるプログラム制御プロセッサを照明光制御装置として機能させるプログラムであって、
通常撮像時には、照明光／ガイド光切替手段が前記照明手段から出射される照明光を被写体へ照射し、
撮像位置を合わせる時には、前記照明光／ガイド光切替手段が前記照明手段から出射される照明光を被写体上で光学的目印を形成するガイド光に切り替える、
ように前記プログラム制御プロセッサを機能させることを特徴とするプログラム。
【００６３】
（付記１０）
前記照明光と前記ガイド光との切替は、照明光用透光部と、前記照明光用透光部よりも狭い透光部面積を有するガイド光用透光部とを切り替えることにより実行することを特徴とする付記９に記載のプログラム。
【００６４】
（付記１１）
前記照明光／ガイド光切替手段は、前記照明光用透光部と前記ガイド光用透光部を有する遮光板と、前記遮光板を前記照明光用透光部を覆わない照明モード位置と前記照明光用透光部を覆うガイドモード位置との間で移動させるための移動手段とを有することを特徴とする付記２に記載の携帯通信機器。
【００６５】
（付記１２）
前記照明光／ガイド光切替手段は、前記照明光用透光部と前記ガイド光用透光部との間で透光部の面積を変化させる遮光制御パネルからなることを特徴とする付記２に記載の携帯通信機器。
【００６６】
（付記１３）
前記ガイド光用透光部は所望の形状を有することを特徴とする付記１１または１２に記載の携帯通信機器。
【００６７】
（付記１４）
前記照明光／ガイド光切替手段は、前記照明光用透光部と前記ガイド光用透光部を有する遮光板とを有し、前記遮光板を前記照明光用透光部を覆わない照明モード位置と前記照明光用透光部を覆うガイドモード位置との間で移動させることを特徴とする付記６に記載の携帯通信機器。
【００６８】
（付記１５）
前記照明光／ガイド光切替手段は、前記照明光用透光部と前記ガイド光用透光部との間で遮光制御パネルの透光部の面積を変化させることを特徴とする付記６に記載の照明光制御方法。
【００６９】
（付記１６）
前記ガイド光用透光部は所望の形状を有することを特徴とする付記１４または１５に記載の照明光制御方法。
【産業上の利用可能性】
【００７０】
本発明は、バーコード読み取り機能を備えた携帯通信機器に適用可能である。
【符号の説明】
【００７１】
１１    第１筐体
１１ａ  表示部
１２    第２筐体
１２ａ  操作部
１３    ヒンジ部
１４    カメラ部
１４ａ  カメラ部の光軸
１５    ライト部
１５ａ  ライト部の光軸
１６    切替手段
１７    ユーザ
１７ａ  ユーザの視線
１８    被写体
２１    照明光用透光部
２２    回転軸
２３    遮光板
２４    ガイド光用透光部
２４ａ    ガイド光用透光部
４１    レンズ
４１ａ〜４１ｄ  ガイド光用透光部
５０    遮光制御パネル
５１    ドライバ
５２    ガイド光用透明領域
１０１    制御部
１０２    記憶部
１０３    バーコード認識手段
【図１】
2011229039.tif 000003
【図２】
2011229039.tif 000004
【図３】
2011229039.tif 000005
【図４】
2011229039.tif 000006
【図５】
2011229039.tif 000007
【図６】
2011229039.tif 000008
【図７】
2011229039.tif 000009
【図８】
2011229039.tif 000010
【図９】
2011229039.tif 000011